(57)【要約】      （修正有）【課題】持病を持つ患者が薬局で処方された薬を、食前や食後に適正に服用できる薬飲み忘れ防止箸箱を提供する。【解決手段】箸箱本体１の中に食前薬、食後薬および箸を入れるスペース６，１２，９を設け、食前薬を呑んだ後に箸を取り出し、食事が済んでから食後薬を取り出せる構造とする。【選択図】図５
0003184545.tif 000002
【実用新案登録請求の範囲】
【請求項１】
箸箱本体を長手方向に２分割し、２分割された片面に箸入れ部を、他面に食前薬入れ部と食後薬入れ部を、それぞれ箸箱本体の左右端部に設け、箸箱カバーを箸箱本体の長手方向にスライドさせることにより箸入れ部と食後薬入れ部を開閉可能とし、食前薬入れ部には箸箱カバーとは別の開閉蓋を設けた食事前後薬の飲み忘れ防止箸箱
【請求項２】
箸箱本体の食前薬入れ部と食後薬入れ部を連結する平面上に、カバー逆方向スライド防止爪部を、箸箱カバーの背面にラッチ部を設け、その爪部とラッチ部が契合することにより、箸箱カバーのスライド位置を保持する機能とスライド方向を一方向に規制する機能を有することを特徴とする請求項１の薬飲み忘れ防止箸箱。
【請求項３】
箸箱本体の食前薬入れ部、食後薬入れ部および箸入れ部の底面に薬剤や箸が、それぞれの入れ部底面に付着しないように複数本の浮かしリブを、更に箸入れ部の外郭側面部に箸取り出し凹分を設けることにより、薬剤や箸を指で容易に取り出せる形状とした請求項１または請求項２の薬飲み忘れ防止箸箱。
【考案の詳細な説明】
【技術分野】
【０００１】  本考案は、持病を持つ患者が薬局で処方された薬を、食前や食後に適正に服用できるようにするために、食事で使用する箸を保管する箸箱本体の中に薬を入れるスペース設けた薬飲み忘れ防止箸箱に関する。
【背景技術】
【０００２】高齢化が急速に進む中で、病院や自宅での療養者や高血圧、高脂血しょう、糖尿病などの慢性疾患を抱えながら普通に勤務している人は数多い。処方された薬は，決まった量を決められた時間に服用するものであるにもかかわらず、高齢者は服用したかどうかを忘れたり、通常勤務の人は忙しさに任せ、飲み忘れが多発しているのが現状である。【０００３】  従来、薬の飲み忘れ防止装置として、特開２００３−２２５２８４号公報や実用新案登録第３１１４９６９号公報に掲載されているような電子制御技術を活用し、電子タイマーによる薬収納箱の蓋開閉を自動化したり、服薬時刻をアラームで知らせる機能を持つもの、また、特開２００５−８１０６７号公報に掲載されているような薬を収納する複数の薬箱と箸箱・箸立てを合体させ、薬箱のどれか一つを引き出すことによりロックが外れて箸箱・箸立ての蓋が開く構造としたものが提案、販売されている。しかし、電子制御技術を活用したものは、操作が複雑で高齢者本人が使用するには不向きであり、価格も高額となる。薬を収納する複数の薬箱と箸箱・箸立てを合体させたものは、薬箱と箸箱・箸立てを合体させるためコンパクトさに欠け、携帯機能を持ち合わせていない。
【先行技術文献】
【特許文献】
【０００４】
【特許文献１】特開２００３−２２５２８４号公報
【特許文献２】特開２００５−８１０６７号公報
【特許文献３】実用新案登録第３１１４９６９号公報
【考案の概要】
【考案が解決しようとする課題】
【０００５】  以上に述べた従来の薬呑み忘れ防止装置の問題点は、操作が複雑でコンパクトさに欠け、携帯機能も持ち合わせていないため、高齢者本人が使用するには不向きであり、価格も高額なものである。
【課題を解決するための手段】
【０００６】  上述した課題を解決するために本考案は、箸箱本体を長手方向に２分割し、２分割された片面に箸入れ部を、他面に食前薬入れ部と食後薬入れ部を、それぞれ箸箱本体の左右側面部に設け、箸箱カバーを箸箱本体の長手方向にスライドさせることにより箸入れ部と食後薬入れ部を開閉可能とし、食前薬入れ部には箸箱カバーとは別の開閉蓋を設けた。食事をする時には、箸を箸箱から取り出さなければならないが、食前薬入れ部の開閉蓋を開けなければ箸箱カバーがスライドできない構造となっており、使用者は箸を取り出す前に食前薬を呑むことになる。【０００７】  更に、食前薬を呑んだ後に箸を取り出すには、箸箱カバーをスライドさせる必要がある。箸箱本体の食前薬入れ部と食後薬入れ部を連結する平面上に、カバー逆方向スライド防止爪部を、箸箱カバーの背面にはラッチ部を設け、その爪部とラッチ部が契合する構造とした。これにより、箸箱カバーのスライド位置が保持され、また爪部とラッチ部の契合形状をスライド方向が一方向に規制する構造としたため、食前薬入れ部をカバーする方向には箸箱カバーをスライドさせることはできない。従って、使用者は、食事の後に箸箱カバーを箸箱本体から外すと、食後薬入れ部の薬剤が出てくるため、食後薬を呑み忘れることは無い。【０００８】  また、箸箱本体の食前薬入れ部、食後薬入れ部および箸入れ部の底面に薬剤や箸が、それぞれの入れ部底面に付着しないように複数本の浮かしリブを、更に箸入れ部の外郭側面部には箸取り出し凹分を設け、薬剤や箸を指で容易に取り出せる形状とすることにより、操作をより簡単にしている。
【考案の効果】
【０００９】  以上のように、食前薬を呑んだ後に箸を取り出し、食事が済んでから食後薬を取り出せる構造としたため、食前食後の薬剤の呑み忘れを防止し、操作が簡単で低価格の薬呑み忘れ防止箸箱を提供することができる。
【図面の簡単な説明】
【００１０】
【図１】薬呑み忘れ防止箸箱外観図
【図２】食前薬入れ部蓋開状態図
【図３】箸取り出し状態図
【図４】（ａ）食前薬入れ部詳細部  （ｂ）Ａ部断面図  （Ｃ）Ｂ部断面図
【図５】（ａ）カバー取り外し状態図  （ｂ）ラッチ部１４の断面図  （Ｃ）カバー逆方向スライド防止爪部の断面図
【図６】カバー逆方向スライド状態図
【図７】カバー正常方向スライド状態図
【考案を実施するための形態】
【００１１】  箸箱本体を長手方向に２分割し、２分割された片面に箸入れ部を、他面に食前薬入れ部と食後薬入れ部を、それぞれ箸箱本体の左右側面部に設け、箸箱カバーを箸箱本体の長手方向にスライドさせることにより箸入れ部と食後薬入れ部を開閉可能とし、食前薬入れ部には箸箱カバーとは別の開閉蓋を設け、さらに、箸箱本体の食前薬入れ部と食後薬入れ部を連結する平面上に、カバー逆方向スライド防止爪部を、箸箱カバーの背面にラッチ部を設け、その爪部とラッチ部が契合することにより箸箱カバーのスライド位置を保持する機能とスライド方向を一方向に規制する機能を備え、箸箱本体の食前薬入れ部、食後薬入れ部および箸入れ部の底面に薬剤や箸が、それぞれの入れ部底面に付着しないように複数本の浮かしリブを、更に箸入れ部の外郭側面部に箸取り出し凹分を設けることにより、薬剤や箸を指で容易に取り出せる形状とした。
【実施例】
【００１２】  以下、本考案の一実施例について、図を用いて説明する。図１は、実施形態に係る薬呑み忘れ防止箸箱の外観を示す。箸箱本体１、箸箱カバー２及び箸箱本体１に開閉可能に取付けられた食前薬入れ部蓋３で構成されている。【００１３】  図２は、食前薬入れ部蓋３の開状態を示す。
箸箱カバー２は、食前薬入れ部６をカバーするものであり、食前薬入れ部蓋３を開けることにより、食前薬入れ部６内の薬剤を取り出して呑むことができる。食前薬入れ部６の底部には、薬剤が底部に付着することなく、指で摘み出し易くするための食前薬浮かしリブ７が複数本形成されている。また、食前薬入れ部蓋３を閉状態にすると、開閉用マグネット付きつまみ４が箸箱カバー２の磁性ボタン５に吸着され、箸箱本体１から箸箱カバー２のスライドを防止している。これにより、箸箱カバー２が箸箱本体１から外れ、薬剤や箸が箸箱本体１から外れ出ることは無い。【００１４】  図３は、食前薬入れ部蓋３を開き、薬剤を取り出した後に箸箱カバー２を矢印方向にスライドさせ、図示していない箸を取り出す状態を示す。箸入れ部９には、箸を指で容易に摘み出せるように、箸取り出し凹部１０と箸浮かしリブ１１が形成されている。また、箸箱本体１には、箸箱カバー逆方向スライド防止爪部８ｂが形成されており、そのストッパー機能により、箸箱カバー２を反矢印方向にスライドさせることはできない。従って、使用者が食前薬を呑み、箸を取り出したことを記憶保持する効果があり、次の行動は、箸箱カバー２を更に矢印方向にスライドさせ食後薬を取り出して呑むことであることを認識することができる。【００１５】  図４（ａ）は、箸箱カバー２をスライドさせた状態での食前薬入れ部６の詳細図を示す。図４（ｂ）は、図４（ａ）のＡ部断面を示す。また、図４（Ｃ）は図４（ｂ）のＢ部詳細図である。食前薬入れ部６の底部に形成される薬浮かしリブ７は図４（ａ）、（ｂ）に示すようにリブが箸箱本体１の反長手方向に複数本形成されているために、食前薬入れ部６の底部に薬剤が付着することがなく浮き上がっているため、容易に薬剤を指で摘み出せる。【００１６】  図５（ａ）は、箸箱本体１から箸箱カバー２を取り外した状態図を示す。箸箱カバー２の背面には複数本のラッチ部１４が形成されており、その断面形状を図５（ｂ）に示す。また、箸箱本体１には、箸箱カバー逆方向スライド防止爪部８ｂが形成されており、その断面形状を図５（ｃ）に示す。箸箱本体１を箸箱カバー２でカバーし、箸を取り出すために箸箱カバー２をスライドさせると、ラッチ部１４と箸箱カバー逆方向スライド防止爪部８が契合するためカチカチと音が出ると同時に箸を取り出せる位置に箸箱カバー２を保持することができる。ラッチ部の断面形状図（ｂ）と箸箱カバー逆方向スライド防止爪部の断面形状図５（ｃ）に示すようにラッチ部１４と箸箱カバー逆方向スライド防止爪部８ｂが契合した場合には、箸箱カバー２は一方向のみにスライドが可能となる。即ち、食前薬剤を取り出した後に、箸箱カバー２を元の状態に戻そうとしても、ストッパー作用が働くためスライドさせることはできない。食前薬を飲み、箸入れ部９から箸を取り出し食事を済ませた後には、箸箱カバー２を更にスライドさせ、食後薬入れ部１２にある食後薬剤を呑むことになる、【００１７】  図６および図７は、箸箱本体１に箸箱カバー２をスライド挿入する状態図を示す。図６はカバー逆方向スライド状態で、箸箱カバー２が箸箱カバー逆方向スライド防止爪部８に当たるため図６に示す矢印の方向からは、箸箱カバー２を���入することができない。従って、カバー正常方向スライド状態図７に示す方向からのみ、箸箱カバー２を挿入することがでる。食後薬入れ部１２には、食前薬入れ部６と同様に食後薬浮かしリブ１３が複数形成されており、薬剤を取り出し易い形状となっている。【００１８】  以上、一実施例について説明したが、食前薬入れ部蓋３を上下方向に開閉する方式の例を示したが、左右方向にスライドさせる方式とすることも可能である。
【符号の説明】
【００１９】１  箸箱本体
２  箸箱カバー
３  食前薬入れ部蓋
４  開閉用マグネット付きつまみ
５  磁性ボタン
６  食前薬入れ部
７  食前薬浮かしリブ
８ａ  連結平面
８ｂ  箸箱カバー逆方向スライド防止爪部
９  箸入れ部
１０  箸取り出し凹部
１１  箸浮かしリブ
１２  食後薬入れ部
１３  食後薬浮かしリブ
１４  ラッチ部
【図１】
0003184545.tif 000003
【図２】
0003184545.tif 000004
【図３】
0003184545.tif 000005
【図４】
0003184545.tif 000006
【図５】
0003184545.tif 000007
【図６】
0003184545.tif 000008
【図７】
0003184545.tif 000009